(57)【要約】      （修正有）【課題】試験管等の手持ち押当て攪拌とマイクロチューブの架装攪拌の一方または双方の作業を同時に行い得るようにし、且つ架装したマイクロチューブをそのままスピンダウンできるようにした円形ヘッドを提供する。【解決手段】試験管などの攪拌混合装置のヘッド３において、中央にすり鉢状に凹んで且つ凹凸周壁１４を多設した手持ち押当て攪拌用の円形凹部１５を設け、該凹部の外側に大小径のマイクロチューブ８等を多数架装し得るチューブチャック１３ａ、１３ｂを周設して、試験管，マイクロチューブなどに注入した試料を手持ち押当て攪拌と架装攪拌の双方を同時使用可能とし、加えて架装容器をそのまま簡易遠心に使用可能にしたことを特徴とする簡易遠心にも使用可能な試験管等攪拌装置の容器押当て及び架装攪拌用円形ヘッド。【選択図】図３
0003132535.tif 000002
【実用新案登録請求の範囲】
【請求項１】
試験管などの攪拌混合装置のヘッドにおいて、中央にすり鉢状に凹んで且つ凹凸周壁を多設した手持ち押当て攪拌用の円形凹部を設け、該凹部の外側に大小径のマイクロチューブ等を多数架装し得るチューブチャックを周設して、試験管，マイクロチューブなどに注入した試料を手持ち押当て攪拌と架装攪拌の双方を同時使用可能とし、加えて架装容器をそのまま簡易遠心に使用可能にしたことを特徴とする簡易遠心にも使用可能な試験管等攪拌装置の容器押当て及び架装攪拌用円形ヘッド。
【考案の詳細な説明】
【技術分野】
【０００１】
この考案は試験管などの攪拌混合に用いる試験管攪拌装置のヘッドにおいて、手持ち押当て攪拌と架装攪拌の双方を同時に使用可能とし、加えて架装容器をそのまま簡易遠心に使用可能とする円形ヘッドに関するものである。
【背景技術】
【０００２】
従来、この種の攪拌装置は、容器に攪拌力を伝達する部位であるヘッドを大別して手持ち押当て攪拌用と容器架装攪拌用の２種にて形成している。
さらに、攪拌の後工程として頻繁に行われる容器のスピンダウン操作においては、容器をスピンダウン用の遠心機に載せかえる必要があるが、この遠心機の容器架装部であるローターに、ある程度架装攪拌に必要な固定力を持たせる試みがあるものの、ローターは金属，合成紙樹脂製によって手持ち攪拌用の容器押当て部はなく、あくまで遠心機のローターの側からの攪拌用途へのアプローチであり、そのためここで主要にしている攪拌操作を充分に満足させ得るものではなかった。
【特許文献１】なし
【考案の開示】
【考案が解決しようとする課題】
【０００３】
このようにして円形ヘッドが２種に分かれていると、手持ち押当てと架装攪拌を同時使用するなどによる試料に適した攪拌が行えないという課題がある。しかも手持ち攪拌では押当て試験管などがヘッドとの間で滑って攪拌効率が上がらないという課題があった。
【課題を解決するための手段】
【０００４】
本考案は、攪拌機本体との重量バランスを考慮して（ヘッドが大きいと、攪拌機本体が安定しない弊害が生ずる）大きさ厚さを検討して「手持ち押当て攪拌」と「架装攪拌」の双方を一台にて行えるようにするとともに、手持ち押当て攪拌の際は滑らずに効率よく攪拌し得るようにし、また架装攪拌ではユーザーの求めに応じてマイクロチューブを最低でも６〜８本以上は同時に架装し得るようにして１機種にて手持ち押当て攪拌と架装による攪拌が同時に行えるようにして、かかる課題を解決するようにしたのである。
また、架装攪拌の場合はそのまま回転させて遠心によるスピンダウンが行えるようにしたのである。
【考案の効果】
【０００５】
本考案の円形ヘッドは、中央にすり鉢形に凹み、且つ凹凸周壁を多設した手持ち押当て攪拌用の円形凹部を設けたので、試験管，遠沈管等の先端がよく馴んで滑らずに能率よく手持ち押当て攪拌を行うことができるという効果を生ずる。またチューブチャックを多数設けたので、マイクロチューブ等の架装数を増大するニーズに応えることができるという効果を生ずる。
【０００６】
さらに架装攪拌の保持力を有すチューブチャックはそのままマイクロチューブを簡易遠心作用によりスピンダウンができるという効果を生ずる。
【考案を実施するための最良の形態】
【０００７】
本考案は、試験管などの攪拌混合装置のヘッドにおいて、中央にすり鉢状に凹且つ凹凸周壁を多設した手持ち押当て攪拌用の円形凹部を設け、該凹部の外側に大小径のマイクロチューブ等を多数架装し得るチューブチャックを周設して、試験管，マイクロチューブなどに注入した試料を手持ち押当て攪拌と同時に架装攪拌ができるようにし、加えて架装容器をそのまま簡易遠心に使用可能にしたのである。チューブチャックは架装したマイクロチューブなどが振動攪拌によって抜け外れないように保持力を高めて構成する。
【実施例１】
【０００８】
図１乃至図３は第１実施例の円形ヘッド３を示すもので、機体１の上部作動軸２に水平嵌着し、該円形ヘッド３は摩擦力のあるゴム板にて形成し、上下段の輪形板部６ａ，６ｂのそれぞれに４個づつにてチューブチャック１３ａ，１３ｂを設け、中央にすべり止め用の多重リング形の凹凸周壁１４を有すタッチミキシング用の円形凹部１５と、上段のチューブチャック１３ａ間の三角壁面１６にすべり止め突条列１７を設けてなる。機体１のスイッチ１０を操作して円形ヘッド３を振動させておいて、遠沈管１２，マイクロチューブ８などをヘッド３の円形凹部１５または三角壁面１６のすべり止め突条１７に先端を押し当てると、滑ることなくして効率よくタッチミキシングすることができることとなる。円形凹部１４はすり鉢状に凹んでいるので図３（ａ）に示すように遠沈管１２，マイクロチューブ８，試験管１８などの先端を隙間なく押当てることができ、またマイクロチューブ８等は図３（ｂ）に示すように側方の三角壁面１６に設けた突条列１７に先端を押し当てることですべりを防止して効率よくタッチミキシングすることができる。
【０００９】
また架装攪拌するときは最大８本において架装したマイクロチューブ８を同時に振動させて内部の試料を攪拌混合することとなる。架装攪拌中の円形ヘッド３に手持ちの遠沈管１２等を押し当てることで同時にタッチミキシングを行うこともできる。
【００１０】
チューブチャック１３ａ，１３ｂは弾力を持って各マイクロチューブ８などを架装保持するので振動攪拌によってマイクロチューブ８などが抜け外れることは全く生じないものである。しかして、架装したマイクロチューブ８などはそのまま円形ヘッド３を回転し遠心させることで、攪拌によって内壁に付着した試料のすべてを底部に集めるスピンダウン作用を起こさせることができる。
このようにして本考案の円形ヘッド３は手持ち押当て攪拌と、多数のマイクロチューブ８を架装した攪拌とおよびスピンダウンの作業を一台にて行うことができることとなる。
【実施例２】
【００１１】
図４乃至図８は第２実施例の円形ヘッド３を示すもので、上面にすべり止め用の小突子４を多数突設した可及的に大きいタッチミキシング用の円形平面部５を設け、その外側に上がり傾斜を付した上下２段の輪形板部６ａ，６ｂを設け、これらに外向きのチューブチャック７ａ，７ｂを設ける。各チューブチャックは外向きの出入口が狭く中はほぼ円形にふくらんでいる。しかしてチューブチャック７ａは図６（ａ）に示すように上下２段に連設して１.５ｍl乃至２.０ｍl容量の太さのマイクロチューブ８を架装するようにしており、下段のチューブチャック７ｂは０.５mlの太さのマイクロチューブ８用を架装するものであり、架装すると図６（ｂ）に示すように上段にて上端が押え止められるようになっている。いずれのチューブチャック７ａ，７ｂも架装したマイクロチューブ８が攪拌の振動によって抜け外れない強化構造になっている。実施例ではこれらのチューブチャック７ａ，７ｂを交互に８個づつ設けている。なお９はすべり止めのための突条列である。
【００１２】
機体１の前面のスイッチ１０を操作し且つボリュームコントローラ１１を廻して円形ヘッド３を作動させると、最大１６本において架装したマイクロチューブ８を同時に攪拌することとなる。
円形平面部５に手持ちした試験管１８の先端を押し当てることでタッチミキサーとして使用することができる。円形平面部５に設けたすべり止め用の小突子４により試験管１８は滑ることなく効率よくタッチミキシングすることができることとなる。
【００１３】
なお、架装したマイクロチューブ８の攪拌中に同時に手持ち試験管１８等のタッチミキシングをすることができる。そして円形ヘッド３を回転作動にして架装しているマイクロチューブ８をそのままスピンダウン作業をさせ得る点も前例と同じである。
【産業上の利用可能性】
【００１４】
本考案の円形ヘッドは以上のようにして、試験管等の手持ち押当て攪拌と架装攪拌を同時に行えて、且つそのまま回転による遠心作用によりスピンダウンもできることになり、しかもマイクロチューブの架装本数を増大し、且つすべりのないタッチミキシングを可能とする効率的で使い勝手のよい円形ヘッドとして広く利用できるものである。
【図面の簡単な説明】
【００１５】
【図１】第１実施例の円形ヘッドの斜視図
【図２】（ａ）は同、平面図、（ｂ）は側面図、（ｃ）は大小のマイクロチューブを架装した状態にて示す斜視図
【図３】（ａ）は遠沈管を手持ち押当て攪拌している状態を示す斜視図、（ｂ）は同、マイクロチューブを側方から押し当て攪拌している状態を示す部分斜視図
【図４】第２実施例の円形ヘッドの斜視図
【図５】（ａ）は同、ヘッドの平面図、（ｂ）は側面図
【図６】（ａ）は上段の輪形板部に２.０mlのマイクロチューブを架装した状態を示す部分断面図、（ｂ）は下段の輪形板部に０.５mlのマイクロチューブを架装した状態を示す部分断面図
【図７】全部のチューブチャックにマイクロチューブを架装した状態にて示す平面図
【図８】手持ちの試験管を押当て攪拌している使用状態を示す部分斜視図
【符号の説明】
【００１６】
１は機体
２は作動軸
３は円形ヘッド
４は小突子
５は円形平面部
６ａ，６ｂは輪形板部
７ａ，７ｂはチューブチャック
８はマイクロチューブ
９はすべり止め用の突条
１０はスイッチ
１１はボリュームコントローラ
１２は遠沈管
１３ａ，１３ｂはチューブチャック
１４は凹凸周壁
１５は円形凹部
１６は三角壁面
１７はすべり止め突条列
１８は試験管
【図１】
0003132535.tif 000003
【図２】
0003132535.tif 000004
【図３】
0003132535.tif 000005
【図４】
0003132535.tif 000006
【図５】
0003132535.tif 000007
【図６】
0003132535.tif 000008
【図７】
0003132535.tif 000009
【図８】
0003132535.tif 000010